(57)【特許請求の範囲】
【請求項１】
表面に多数の剪断刃を取付けた回転刃と、該回転刃に対向して機体側に取付けられる固定刃とを備えた一軸剪断式破砕装置において、回転刃は駆動軸に取付けられる回転ロータに軸心方向に多数の剪断刃取付け溝を形成し、該溝にそれぞれ独立して形成され、固定刃の三角状切り込みに適合する三角形状の剪断面を有する剪断刃及びスペーサーを、回転ロータ軸方向に所定順序で挿入固定することにより、該剪断刃相互間を所定距離に保持して配置することにより、各溝の剪断刃の位置を順次ずらして配置することを可能としたことを特徴とする破砕装置。
【請求項２】
回転ロータに形成する剪断刃取付け溝はＴ字型もしくはＬ字型の係合部を備えた溝とし、剪断刃及びスペーサはこれに適合する係止部を備え、各溝に剪断刃及びスペーサをそれぞれ挿入することを特徴とする請求項１記載の破砕装置。
【請求項３】
固定刃は、単位部分を着脱可能をしたことを特徴とする請求項１または２記載の破砕装置。
【発明の詳細な説明】
【０００１】
【発明の属する技術分野】
本発明は破砕装置、特に一軸剪断式破砕装置に係わり、詳しくは回転刃の回転ロータに対する剪断刃の取付けに関するものである。
【０００２】
【従来の技術】
上記表面に多数の剪断刃を取付けた回転刃のの比較的幅の広い形式においては、回転ロータに例えば円周方向に多数の溝を形成し、これに剪断刃を取付ける構造が採られている。
【０００３】
【発明が解決しようとする課題】
しかしこの方式では、剪断刃には強い衝撃を加わるため、その取付けを強固とする必要があり、従ってその着脱に手数を要する等の問題がある。
本発明はかゝる点に鑑み、剪断刃に加わる衝撃を確実に受け止めると共に、剪断刃の着脱を容易に行うことを目的とする。
【０００４】
【課題を解決するための手段】
上記目的を達成するための破砕装置の第１の発明は、表面に多数の剪断刃を取付けた回転刃と、該回転刃に対向して機体側に取付けられる固定刃とを備えた一軸剪断式破砕装置において、回転刃は駆動軸に取付けられる回転ロータに軸心方向に多数の剪断刃取付け溝を形成し、該溝にそれぞれ独立して形成され、固定刃の三角状切り込みに適合する三角形状の剪断面を有する剪断刃及びスペーサーを、回転ロータ軸方向に所定順序で挿入固定することにより、該剪断刃相互間を所定距離に保持して配置することにより、各溝の剪断刃の位置を順次ずらして配置することを可能としたことを特徴とする。
【０００５】
上記の構成からなる本発明は、剪断刃は回転ロータの軸心に沿って形成された取付け溝に取付けられる故、剪断刃に加わる衝撃は、該取付け溝により支持される。従って該剪断刃の回転ロータへの取付けは通常のビスによる取付けのみで充分な強度の保持が可能である。
【０００６】
また第２の発明は、上記回転ロータに形成する剪断刃取付け溝はＴ字型もしくはＬ字型の係合部を備えた溝とし、剪断刃及びスペーサはこれに適合する係止部を備え、各溝に剪断刃及びスペーサをそれぞれ挿入することを特徴とする。
【０００７】
上記の構成からなる本発明は、各剪断刃は剪断刃取付け溝を係合部を備えた溝としたことにより、剪断時の衝撃は該係合部により支持され、かつ脱落する恐れはない。従って各剪断刃及びスペーサそれぞれを回転ロータに固着する必要はなく、取付けが容易になる。
【０００８】
また第３の発明は、固定刃は、単位部分を着脱可能をしたことを特徴とする。
【０００９】
上記の構成からなる本発明は、固定刃を分割して個別に固定刃取付部に取付けることにより、損傷や摩耗した固定刃のみを交換することができる。
【００１０】
【発明の実施の形態】
以下本発明を図面に示す実施例に基づいて説明する。破砕装置１は、図１に示す如く、機体２上部に設けられた被破砕物を投入するためのホッパ３と、該ホッパ３の下部一側に配置された剪断機構４とを備える。ホッパ３の下部には被破砕物を押し出す押し込み部材５を備え、該押し込み部材５は押圧シリンダ６により剪断機構４側に台板７上を進退可能に設けられる。
【００１１】
上記押し込み部材５、押圧シリンダ６及び台板７は、例えば５乃至１０°の傾斜をつけて機体２に設置する。
【００１２】
上記剪断機構４は、上記台板７の先端に取付けられる固定刃１０と、この固定刃１０に対向して機体２の側壁との間に取付けられる回転刃１１とより構成される。この回転刃１１は、駆動軸１２に取付けられる回転ロータ１３に軸心方向に多数の剪断刃取付け溝１４を形成し、該溝に剪断刃１５と、該剪断刃相互間を所定距離に保持するスペーサ１６とを配置し、かつ各溝の単位剪断刃１５の位置を順次ずらして配置する。また被破砕物の種類に応じて、剪断刃１５のピッチＰを任意に選定することにより最適な破砕が可能となる。
【００１３】
上記剪断刃１５は、図４に示す如く前面１５ａ（剪断面となる）を三角形状とし、かつその前面を取付け面に対して直角（回転ロータの略々半径方向）とした三角錐状としたもので、固定刃１０はこれに適合する三角状の切り込み１０ａを形成する。また固定刃１０は先端部のみが摩耗や損傷するので、図１１に示すように、部分固定刃３０を固定刃取付部３１にボルトで固定し、部分固定刃３０のみを交換可能な構造にするのが好ましい。スペーサ１６は図５に示す如く、取付け溝１４の深さと同一の高さを有する直方体とする。これら剪断刃１５、スペーサ１６は、上記取付け溝１４の長さを等分（図例は５等分）する長さを有せしめる。但しこの長さＬは、各取付け溝１４に挿入された剪断刃とスペーサとの組合せにより所定のピッチ長とするもので、これにより各取付け溝１４への取付けに際しては、剪断刃１５とスペーサ１６の個数とを選択することにより、各取付け溝間の剪断刃１５を所定ピッチＰをずらした位置に取付けることができる。
１７、１８はそれぞれ剪断刃１５、スペーサ１６の取付けビスを示す。
【００１４】
なお、この剪断刃１５に代えて図６に示す前面を三角形状の楔型とした剪断刃１９としてもよい。この形状によるときは、前後の面１９ａ、１９ｂが剪断面となり、一方の面が磨耗、破損したとき、反対面を剪断面として利用することが出来る効果がある。
【００１５】
上記構成において、ホッパ３に供給される被破砕物は、傾斜した押圧シリンダ６の作動による押し込み部材５の移行により容易に剪断機構４側に移送され、該剪断機構４により剪断される。この際剪断刃１５は回転ロータ１３の軸心方向に形成した剪断刃取付け溝１４に挿入して取付けられている故、剪断時に加わる破砕抵抗は該溝１４により支持されるため、該剪断刃は破砕抵抗による位置のずれ等を生ずることはなく、摩耗及び損傷した箇所のみの剪断刃１５及びスペーサ１６の交換を容易せしめる。
【００１６】
次に図７乃至図１０は第２実施例を示す。本実施例は回転刃１１の他の例を示すもので、この回転刃２０は回転ロータ２１に形成する剪断刃取付け溝２２はＴ字型とした係合部２２ａを有する構造としたもので、剪断刃２３及びスペーサ２４はこれに適合する係止部２３ａ、２４ａを備えたものである。
その他の構造は前記実施例と同様である。
【００１７】
各剪断刃２３及びスペーサ２４の回転ロータ２１への取付けに際しては、剪断刃取付け溝２２に所定順序で挿入し、各溝の両端に位置する剪断刃２３もしくはスペーサ２４のみ回転ロータ２１にビス２５により固着すればよい。
【００１８】
これは各単位剪断刃２３、スペーサ２４は係止部２３ａ、２４ａにより支持されており、抜け出す恐れはないからで、前記実施例の如く、各剪断刃、スペーサをそれぞれビスにより固着する手数を省略することができ、剪断刃の交換を迅速に行うことができる。なお回転ロータ２１両端部を、該ロータ２１と同径の円板部材により封止せしめることにより両端に位置する剪断刃２４若しくはスペーサ２４の固着は可能となる。
【００１９】
なお、上記実施例は、係合部としてＴ字型とした例を示したが、これは例えばＬ字型としてもよい。但しこの場合には、該係合部は回転方向に向けて突出形成することが好ましい。これにより剪断時の抵抗を該係合部により支持せしめることができる。
【００２０】
【発明の効果】
以上の如く本発明によるときは、剪断刃の回転ロータへの取付けに際しては、該回転ロータに軸心方向に多数の剪断刃取付け溝を形成し、該溝に剪断刃と、該剪断刃相互間を所定距離に保持するスペーサとを配置するようにしたから、剪断時に加わる破砕力は剪断刃取付け溝により支持される故、強固に支持され、剪断刃は移行することはない。
またこの剪断刃取付け溝をＴ字型もしくはＬ字型の係合部を備えた溝とし、剪断刃及びスペーサはこれに適合する係止部を備えるときは、剪断時の破砕力に強固な抵抗を付与することが出来ると共に、抜け出す恐れはなく、従って剪断刃及びスペーサの取付けは、取付け溝の両端に位置する剪断刃又はスペーサのみで可能である。従って剪断刃の交換を容易に行うことができる。
また上記剪断刃とスペーサとは所定の同一長さとする時は、剪断刃と所要個数のスペーサとを組合せることにより各溝の剪断刃を一定ピッチずらして取付けるに極めて便利である。
【図面の簡単な説明】
【図１】本発明の破砕装置の縦断説明図である。
【図２】剪断機構の図３におけるＸ−Ｘ線に沿う断面図である。
【図３】図２における平面図である。
【図４】第１実施例の剪断刃に関するもので、同図ａは平面図、ｂは正面図、ｃは左側面図である。
【図５】第１実施例のスペーサに関するもので、同図ａは平面図、ｂは図ａにおけるＹ−Ｙ線に沿う断面図である。
【図６】剪断刃の他の実施例に関するもので、同図ａは平面図、ｂは正面図、ｃは左側面図である。
【図７】第２実施例の回転刃の縦断面図である。
【図８】図７における平面図である
【図９】第２実施例に使用する剪断刃に関するもので、同図ａは平面図、ｂは正面図、ｃは左側面図である。
【図１０】第２実施例に使用するスペーサに関するもので、同図ａは平面図、ｂは左側面図である。
【図１１】固定刃に関するもので、同図ａは平面図、ｂは縦断面図である。
【符号の説明】
１  破砕装置
４  剪断機構
１０  固定刃
１１  回転刃
１３  回転ロータ
１４  剪断刃取付け溝
１５  剪断刃
１６  スペーサ
２０  回転刃
２１  回転ロータ
２２  剪断刃取付け溝
２３  剪断刃
２４  スペーサ
３０  固定刃
【図１】
0003540597.tif 000002
【図２】
0003540597.tif 000003
【図３】
0003540597.tif 000004
【図４】
0003540597.tif 000005
【図５】
0003540597.tif 000006
【図６】
0003540597.tif 000007
【図７】
0003540597.tif 000008
【図８】
0003540597.tif 000009
【図９】
0003540597.tif 000010
【図１０】
0003540597.tif 000011
【図１１】
0003540597.tif 000012